(57)【要約】【課題】個人のディスカッション能力を適切に評価する。【解決手段】ディスカッション支援プログラムにおいて、各情報端末から得られる意見データと、予め設定された複数の情報端末を含むグループ毎に集められた前記意見データに対応するグループ特性とを収集し、前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出する、処理をコンピュータに実行させる。【選択図】図４
2014191639.tif 000002
【特許請求の範囲】
【請求項１】
各情報端末から得られる意見データと、予め設定された複数の情報端末を含むグループ毎に集められた前記意見データに対応するグループ特性とを収集し、
前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出する、処理をコンピュータに実行させるためのディスカッション支援プログラム。
【請求項２】
前記ポイントの算出は、代表意見となった参加者の意見種別と、グループ内における他の参加者の意見種別との関係に応じて加算するポイント数を変更することを特徴とする請求項１に記載のディスカッション支援プログラム。
【請求項３】
算出された前記ポイントに対して、前記グループ毎の意見特性又は全グループの意見特性に基づいて、前記ポイントを調整することを特徴とする請求項１又は２に記載のディスカッション支援プログラム。
【請求項４】
算出された前記ポイントに対して、前記グループ内における他の参加者のポイントの伸び率を取得し、取得した前記伸び率に基づいて、更にポイントを加算することを特徴とする請求項１乃至３の何れか１項に記載のディスカッション支援プログラム。
【請求項５】
前記算出された参加者毎のポイントの推移を図示化して、所定の情報端末の画面に表示することを特徴とする請求項１乃至４の何れか１項に記載のディスカッション支援プログラム。
【請求項６】
情報処理装置が、
各情報端末から得られる意見データと、予め設定された複数の情報端末を含むグループ毎に集められた前記意見データに対応するグループ特性とを収集し、
前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出することを特徴とするディスカッション支援方法。
【請求項７】
各情報端末から得られる意見データと、予め設定された複数の情報端末を含むグループ毎に集められた前記意見データに対応するグループ特性とを収集する意見収集手段と、
前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出するポイント算出手段とを有することを特徴とする情報処理装置。
【発明の詳細な説明】
【技術分野】
【０００１】
本発明は、ディスカッション支援プログラム、ディスカッション支援方法、及び情報処理装置に関する。
【背景技術】
【０００２】
個人毎に情報端末を所持させ、その所持させた情報端末を用いた教育が行われようとしている。情報端末を用いた教育の一つの手法としてディスカッション支援システムというものがある。ディスカッション支援システムとは、情報端末を用いてディスカッション参加者毎の意見を収集し、収集した意見を画面に表示しながらディスカッションを進める仕組みを提供するものである。上述したディスカッションの一つの手法としては、例えばディスカッション参加者の一例である生徒を複数のグループに分け、各グループで議論を行わせるグループディスカッション手法がある。
【０００３】
また、上述したディスカッション支援システムの目的の一つとして、ディスカッション能力の把握がある。例えば、ディスカッション支援システムでは、議論によって参加者の意見が変化したり、全体の意見が纏まる傾向を見たりすることにより、参加者個人のディスカッション能力を把握しようとしている。
【０００４】
例えば、電子掲示板での議論において意見を纏める上での参加者の貢献度に基づきポイントを付与して管理する手法やグループ内の参加者意見の相違を算出する手法が存在する（例えば、特許文献１及び２参照）。
【先行技術文献】
【特許文献】
【０００５】
【特許文献１】特開２００４−１８５６１４号公報
【特許文献２】特開２００２−１４０４４１号公報
【発明の概要】
【発明が解決しようとする課題】
【０００６】
しかしながら、上述した手法では、グループでの議論の結果が収集されるため、グループ単位でのディスカッション能力の把握はできてもグループ内の各個人の能力については把握できず、各個人の能力を適切に評価できていない。
【０００７】
一つの側面では、本発明は、個人のディスカッション能力を適切に評価することを目的とする。
【課題を解決するための手段】
【０００８】
一態様におけるディスカッション支援プログラムは、各情報端末から得られる意見データと、予め設定された複数の情報端末を含むグループ毎に集められた前記意見データに対応するグループ特性とを収集し、前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出する、処理をコンピュータに実行させる。
【発明の効果】
【０００９】
個人のディスカッション能力を適切に評価することができる。
【図面の簡単な説明】
【００１０】
【図１】情報端末を用いたグループディスカッションの形態を説明する図である。
【図２】ディスカッション支援システムの概略構成の一例を示す図である。
【図３】ディスカッション支援サーバのハードウェア構成の一例を示す図である。
【図４】ディスカッション支援サーバの処理の一例を示すフローチャートである。
【図５】ポイント表示処理の一例を示すフローチャートである。
【図６】情報端末において課題が表示された画面の一例を示す図である。
【図７】情報端末において意見を共有する画面の一例を示す図である。
【図８】ディスカッション支援で用いられるデータの一例を示す図である。
【図９】実施例１におけるポイント集計処理の一例を示すフローチャートである。
【図１０】実施例１における各種データ例を示す図である。
【図１１】実施例２におけるポイント集計処理の一例を示すフローチャートである。
【図１２】各種意見特性ＤＢの一例を示す図である。
【図１３】実施例２におけるポイント条件ＤＢの一例を示す図である。実施例２における各種データ例を示す図である。
【図１４】実施例３におけるポイント集計処理の一例を示すフローチャートである。
【図１５】実施例３における各種データ例を示す図である。
【図１６】表示手段により生成される成長グラフの一例を示す図である。
【発明を実施するための形態】
【００１１】
以下、添付図面を参照しながら実施例について詳細に説明する。
【００１２】
＜情報端末を用いたディスカッションについて＞
図１は、情報端末を用いたディスカッションの形態を説明する図である。図１の例では、情報端末を用いたグループディスカッションの一例を示している。情報端末１０を用いたグループディスカッションでは、情報端末１０がディスカッションのそれぞれの参加者（後述においては生徒）１１に配布されており、参加者１１がそれぞれの意見を各個人の有する情報端末１０に入力する。入力された意見は、グループ内で共有される。
【００１３】
各グループでは、共有された参加者１１の意見についてディスカッションを行い、グループの代表意見を決定する。グループ毎（図１の例では、Ａグループ，Ｂグループ毎）に行われるディスカッションは、例えば口頭で行われてもよく、情報端末１０を用いたチャット等で行われてもよいが、これに限定されるものではない。
【００１４】
グループの代表意見が決定されると、グループリーダーの情報端末１０からサーバ等へ代表意見が送信される。ディスカッション支援側のサーバ等は、各グループの代表意見を表示装置に表示させる。グループ毎の代表意見が表示装置に表示された後に、更に全体でディスカッションが行われてもよい。
【００１５】
次に、ディスカッション支援システムの概略構成例等について具体的に説明する。なお、以下の実施例の説明では、例えば１クラスの生徒が複数のグループに分かれてグループディスカッションを行う場合について説明するが、ディスカッション支援システムの利用形態については、これに限定されるものではない。
【００１６】
＜ディスカッション支援システムの概略構成例＞
図２は、ディスカッション支援システムの概略構成の一例を示す図である。図２に示すディスカッション支援システム１００は、上述した一又は複数の情報端末１０と、情報処理装置の一例としてのディスカッション支援サーバ２００と、表示装置３００とを有する。情報端末１０と、ディスカッション支援サーバ２００と、表示装置３００とは、インターネットやＬｏｃａｌ  Ａｒｅａ  Ｎｅｔｗｏｒｋ（ＬＡＮ）等に代表される通信ネットワークにより、データの送受信が可能な状態で接続されている。通信ネットワークは、無線通信でも有線通信でもよく、これらを両方含んでいてもよい。
【００１７】
ディスカッション支援サーバ２００は、ディスカッション支援手段２１０と、記憶手段２２０とを有する。ディスカッション支援手段２１０は、グループ化手段２１１と、ログイン手段２１２と、意見収集手段２１３と、ポイント集計手段２１４と、表示手段２１５とを有する。記憶手段２２０は、生徒データベース（以下、データベースを「ＤＢ」という）２２１と、グループＤＢ２２２と、課題ＤＢ２２３と、意見ＤＢ２２４と、ポイント条件ＤＢ２２５と、ポイントＤＢ２２６と、クラス意見特性ＤＢ２２７と、代表意見特性ＤＢ２２８とを有する。
【００１８】
情報端末１０は、ディスカッションに参加する各生徒（参加者）１０が所持する端末である。情報端末１０は、例えば本実施形態におけるグループディスカッションを行うためのアプリケーション等がインストールされる。
【００１９】
情報端末１０に生徒１１が入力した情報は、「意見」としてディスカッション支援サーバ２００に送信される。なお、意見とは、例えば情報端末１０に入力されたテキストデータや、情報端末１０を利用する生徒１１の意見を反映させた選択肢を示す情報等であるが、これに限定されるものではない。
【００２０】
情報端末１０は、例えばノート型のＰｅｒｓｏｎａｌ  Ｃｏｍｐｕｔｅｒ（ＰＣ）やタブレット端末、スマートフォン等であるが、これに限定されるものではない。なお、情報端末１０は、生徒が使用する端末（生徒端末）としてではなく、先生が使用する端末（先生端末）としての機能を有してもよい。また、情報端末１０は、例えばグループ毎にディスカッション後の代表意見をディスカッション支援サーバ２００に送信するリーダー端末としての機能を有してもよい。
【００２１】
ディスカッション支援サーバ２００において、ディスカッション支援手段２１０は、情報端末１０を識別する情報と情報端末１０を使用する生徒１１を識別する情報を関連付けて記憶手段２２０に記憶する。
【００２２】
また、ディスカッション支援手段２１０において、グループ化手段２１１は、予め設定された条件に基づいて生徒１１のグループ化を行う。なお、予め設定された条件とは、過去の生徒毎のポイント集計の推移や、所定の課題に対する意見の種別（例えば、賛成、許容、反対等）、先生端末からの指示等により設定されるが、これに限定されるものではない。
【００２３】
ログイン手段２１２は、生徒１１が自分の情報端末１０を用いてディスカッション支援サーバ２００にログインしてきたことを受け付けると、入力されるユーザ情報やパスワード等を用いてログイン認証を行う。また、ログイン手段２１２は、ログインが許可された生徒１１に対応する情報端末１０にグループ名を通知する。
【００２４】
意見収集手段２１３は、その情報端末１０に対して所定の課題を送信して、その意見データを個別に受信する。
【００２５】
ポイント集計手段２１４は、予め定められた複数の情報端末１０を有するグループ毎に集められた意見データから、グループの意見データの特性（意見種別）を検出する。なお、意見種別とは、例えばある課題に対する意見として賛成か、許容か、反対かを示す情報である。許容とは、賛成でも反対でもない状態である。
【００２６】
また、グループの意見の特性として、例えば「同意見のみのグループ」、「同意見と異なる意見とが半々のグループ」、「異なる意見の方が多いグループ」等の情報を検出してもよい。同意見か否かの判断は、例えば上述した各情報端末１０から得られるグループ内の各生徒の意見種別（賛成、許容、反対等）に基づいて判断することができるが、これに限定されるものではない。
【００２７】
また、ポイント集計手段２１４は、グループ単位に収集した意見データの中から選択されたグループ代表意見データと、グループの意見データとに基づき、グループに含まれる情報端末１０に関連付けられた生徒毎に意見データに対するポイントを算出する。
【００２８】
なお、ポイント集計手段２１４におけるポイントを算出するときのポイント条件や、算出されたポイント結果は、記憶手段２２０に記憶される。ポイント集計手段２１４は、例えばグループ内での意見特性や、クラス全体の特性に対応させた重み付けを行ってポイントを算出してもよい。また、ポイント集計手段２１４は、生徒の伸び率に応じたボーナスポイントを付加してもよい。これにより、ポイントの評価をいろいろな方面から見ることができる。
【００２９】
表示手段２１５は、課題に対する意見を入力するための画面を生成したり、課題に対するグループ内の各生徒の意見等を共有する画面を生成したりする。また、表示手段２１５は、ポイント集計結果や生徒１１毎のポイント推移、各生徒の意見、各グループから得られる代表意見等を表示する画面を生成する。
【００３０】
表示手段２１５は、生成した画面を、生徒が使用する情報端末（生徒端末）や先生が使用する情報端末（先生端末）に送信したり、表示装置３００に送信したりして表示させる。例えば、本実施形態では、グループ内でのディスカッションに関する内容がポイントとして先生端末等に送信されることで、代表意見等のディスカッション結果からでは見えない各生徒のディスカッション能力が明確になる。
【００３１】
記憶手段２２０は、本実施形態におけるディスカッション支援処理が実現可能な各処理を実行するための設定情報、各種処理の実行経過や結果等を記憶する。記憶手段２２０に記憶される情報は、上述した生徒ＤＢ２２１、グループＤＢ２２２、課題ＤＢ２２３、意見ＤＢ２２４、ポイント条件ＤＢ２２５、ポイントＤＢ２２６、クラス意見特性ＤＢ２２７、及び代表意見特性ＤＢ２２８に限定されるものではない。なお、記憶手段２２０に記憶されるデータの具体例については、後述する。
【００３２】
また、記憶手段２２０は、記憶された各種情報を必要に応じて所定のタイミングで読み出したり、書き込んだりすることができる。記憶手段２２０は、例えばハードディスクやメモリ等であるが、これに限定されるものではない。
【００３３】
ディスカッション支援サーバ２００は、汎用のＰＣやサーバ等であるが、これに限定されるものではない。
【００３４】
表示装置３００は、クラス内の生徒全員が見ることができる共有のディスプレイであり、生徒１１の座席から見ることができるような教室内の所定の位置に設置されるものである。表示装置３００は、表示手段２１５から得られる各種の情報を表示する。なお、表示装置３００は、例えばプロジェクタ等でスクリーンに表示されるものでもよく、モニタ装置やディスプレイ装置等でもよいが、これらに限定されるものではない。
【００３５】
＜ディスカッション支援サーバ２００のハードウェア構成例＞
図３は、ディスカッション支援サーバのハードウェア構成の一例を示す図である。図３におけるディスカッション支援サーバ２００は、入力装置４０１と、出力装置４０２と、ドライブ装置４０３と、補助記憶装置４０４と、主記憶装置４０５と、Ｃｅｎｔｒａｌ  Ｐｒｏｃｅｓｓｉｎｇ  Ｕｎｉｔ（ＣＰＵ）４０６と、ネットワーク接続装置４０７とを有し、これらはシステムバスＢで相互に接続されている。
【００３６】
入力装置４０１は、管理者のユーザ等が操作するキーボード及びマウス等のポインティングデバイスや、マイクロフォン等の音声入力デバイスを有しており、ユーザ等からのプログラムの実行指示、各種操作情報、ソフトウェア等を起動するための情報等の入力を受け付ける。
【００３７】
出力装置４０２は、本実施形態における処理を行うためのコンピュータ本体を操作するのに必要な各種ウィンドウやデータ等を表示するディスプレイを有し、ＣＰＵ４０６が有する制御プログラムによりプログラムの実行経過や結果等を表示する。
【００３８】
ここで、本実施形態においてコンピュータ本体にインストールされる実行プログラムは、例えば、Ｕｎｉｖｅｒｓａｌ  Ｓｅｒｉａｌ  Ｂｕｓ（ＵＳＢ）メモリやＣＤ−ＲＯＭ、ＤＶＤ等の可搬型の記憶媒体４０８等により提供される。プログラムを記録した記憶媒体４０８は、ドライブ装置４０３にセット可能であり、ＣＰＵ４０６からの制御信号に基づき、記憶媒体４０８に含まれる実行プログラムが、記憶媒体４０８からドライブ装置４０３を介して補助記憶装置４０４にインストールされる。
【００３９】
補助記憶装置４０４は、例えばハードディスクドライブやＳｏｌｉｄ  Ｓｔａｔｅ  Ｄｒｉｖｅ（ＳＳＤ）等のストレージ手段等である。補助記憶装置４０４は、ＣＰＵ４０６からの制御信号に基づき、本実施形態における実行プログラムや、コンピュータに設けられた制御プログラム等を記憶し、必要に応じて入出力を行うことができる。補助記憶装置４０４は、ＣＰＵ４０６からの制御信号等に基づいて、記憶された各情報から必要な情報を読み出したり、書き込んだりすることができる。
【００４０】
主記憶装置４０５は、ＣＰＵ４０６により補助記憶装置４０４から読み出された実行プログラム等を格納する。主記憶装置４０５は、例えばＲｅａｄ  Ｏｎｌｙ  Ｍｅｍｏｒｙ（ＲＯＭ）やＲａｎｄｏｍ  Ａｃｃｅｓｓ  Ｍｅｍｏｒｙ（ＲＡＭ）等であるが、これに限定されるものではない。補助記憶装置４０４及び主記憶装置４０５は、例えば上述した記憶手段２２０に対応している。
【００４１】
ＣＰＵ４０６は、オペレーティングシステム等の制御プログラム、及び主記憶装置４０５に格納されている実行プログラムに基づいて、各種演算や各ハードウェア構成部とのデータの入出力等、コンピュータ全体の処理を制御して各処理を実現することができる。プログラムの実行中に必要な各種情報等は、例えば補助記憶装置４０４から取得することができ、また実行結果等を補助記憶装置４０４に格納することもできる。
【００４２】
ＣＰＵ４０６は、例えば入力装置４０１から得られるプログラムの実行指示等に基づき、補助記憶装置４０４にインストールされたプログラムを実行させることにより、主記憶装置４０５上でプログラムに対応する処理を行う。
【００４３】
例えば、ＣＰＵ４０６は、ディスカッション支援プログラムを実行させることで、上述したグループ化手段２１１による生徒のグループ化、ログイン手段２１２による生徒のログイン、意見収集手段２１３による意見収集、ポイント集計手段によるポイント集計等の処理を行う。ＣＰＵ４０６における処理内容は、これに限定されるものではない。ＣＰＵ４０６により実行された内容は、必要に応じて補助記憶装置４０４に記憶させることができる。
【００４４】
ネットワーク接続装置４０７は、ＣＰＵ４０６からの制御信号に基づき、インターネットやＬＡＮ等の通信ネットワークと接続することにより、実行プログラムやソフトウェア、設定情報等を、通信ネットワークに接続されている外部装置等から取得する。また、ネットワーク接続装置４０７は、プログラムを実行することで得られた実行結果又は本実施形態における実行プログラム自体を外部装置等に提供することができる。
【００４５】
なお、情報端末１０についても上述したハードウェア構成を有することができるが、情報端末１０は、例えばスマートフォン等の通信端末である場合には、上述の構成に加えて、例えばＧｌｏｂａｌ  Ｐｏｓｉｔｉｏｎｉｎｇ  Ｓｙｓｔｅｍ（ＧＰＳ）機能を用いた測位装置や、加速度センサ、角速度センサ等を有していてもよい。ネットワーク接続装置４０７は、例えば、Ｗｉ−Ｆｉ（登録商標）やＢｌｕｅｔｏｏｔｈ（登録商標）等による通信を可能にする通信手段を有していてもよい。また、情報端末１０は、電話端末との通話を可能にする通話手段を有していてもよい。
【００４６】
上述したようなハードウェア構成により、本実施形態におけるディスカッション支援処理を実行することができる。また、実行プログラム（ディスカッション支援プログラム）をインストールすることにより、汎用のＰＣや情報端末等で本実施形態におけるディスカッション支援処理を容易に実現することができる。
【００４７】
＜ディスカッション支援サーバ２００の処理の一例＞
ここで、本実施形態におけるディスカッション支援サーバ２００の処理の一例について、フローチャートを用いて説明する。図４は、ディスカッション支援サーバの処理の一例を示すフローチャートである。
【００４８】
図４の例において、ディスカッション支援サーバ２００のグループ化手段２１１は、生徒ＤＢ２２１に含まれるディスクカッションに参加する生徒１１の情報を取得して、グループ化を行う（Ｓ０１）。なお、グループ化手段２１１は、前回までのディスカッション結果や現在までの生徒毎のポイントの推移等に基づいて、所定数の人数毎又は所定数のグループになるようにグループ化を行うことができるが、これに限定されるものではない。グループ化された情報は、グループＤＢ２２２に記憶される。本実施形態では、グループＤＢ２２２に記憶されたグループ識別情報（グループＩＤ）等に基づいて、任意の座席表を生徒１１に提示して、生徒１１に予めその座席表通りに座ってもらうことが好ましいが、これに限定されるものではない。
【００４９】
ディスカッション支援サーバ２００のログイン手段２１２は、生徒１１が情報端末１０からログイン要求を受け付けると、生徒１１のログイン認証を行う（Ｓ０２）。Ｓ０２の処理において、ログイン手段２１２は、情報端末１０から得られる生徒１１から入力された認証情報（ユーザＩＤ（生徒ＩＤ）やパスワード）等に基づいて生徒ＤＢ２２１を参照し、対応する生徒情報が存在するか否かにより認証を行う。なお、認証に失敗した場合には、その旨のメッセージを対象の情報端末１０に提示する。
【００５０】
認証が成功した場合、ディスカッション支援サーバ２００の意見収集手段２１３は、課題ＤＢ２２３からディスカッションの議題となる課題情報を抽出し、抽出した課題を認証に成功した情報端末１０に送信して提示を行う（Ｓ０３）。次に、意見収集手段２１３は、提示した課題に対する各生徒１１の意見を各生徒１１が所持する情報端末１０から収集する（Ｓ０４）。収集した個人意見は、意見ＤＢ２２４に記憶される。
【００５１】
その後、各グループにディスカッションがされた後、意見収集手段２１３は、各グループのリーダーが使用する情報端末（リーダー端末）１０から代表意見を収集する（Ｓ０５）。収集された代表意見は、意見ＤＢ２２４に記憶される。
【００５２】
ディスカッション支援サーバ２００のポイント集計手段２１４は、Ｓ０４の処理で得られた個人意見の特性（意見種別）、Ｓ０５の処理で得られた代表意見の特性（意見種別）等に基づいて、ポイントを集計する（Ｓ０６）。ポイント集計は、授業中に更新が可能である。
【００５３】
ポイント集計手段２１４は、例えば予めポイント条件ＤＢ２２５に設定された条件に基づいて、生徒毎のポイントの算出を行う。集計されたポイントは、ポイントＤＢ２２６に記憶される。また、個人意見の特性（意見種別）は、意見特性ＤＢ２２４から取得することができ、代表意見の特性は、代表意見特性ＤＢ２２８から取得することができるが、これに限定されるものではない。
【００５４】
ディスカッション支援サーバ２００の表示手段２１５は、各代表意見等を表示装置３００に表示させる（Ｓ０７）。なお、Ｓ０７の処理では、各生徒の個人意見を表示装置３００に表示させてもよい。また、Ｓ０７の処理では、Ｓ０６で得られたポイント集計結果を先生端末等に表示させてもよい。上述の処理は、ディスカッション毎に繰り返し行われるが、生徒ログインについては、最初のディスカッションのときのみに行われてもよい。
【００５５】
＜表示手段２１５における各生徒のポイント表示処理の一例＞
次に、表示手段２１５における各生徒のポイント表示処理の一例について、フローチャートを用いて説明する。図５は、表示手段におけるポイント表示処理の一例を示すフローチャートである。
【００５６】
図５の例において、表示手段２１５は、先生が使用する情報端末（先生端末）１０等から各生徒のポイント表示要求があったか否かを判断する（Ｓ１１）。表示手段２１５は、要求があった場合（Ｓ１１において、ＹＥＳ）、ポイントＤＢ２２６から得られる各生徒のポイント情報より、各生徒の成長グラフ等を生成し（Ｓ１２）、生成したグラフを対象の情報端末１０に表示させる（Ｓ１３）。なお、対象の情報端末１０とは、先生端末であるが、これに限定されるものではなく、例えば表示装置３００に表示させてもよい。
【００５７】
これにより、グループ内での議論に関する内容がポイントとして先生の情報端末等に送信されることになるため、見えない議論の内容が明確になり、ディスカッションに対する生徒毎の個人的な能力（成長）の推移を把握することができる。なお、成長グラフの一例については、後述する。また、上述の例では、表示手段２１５によるポイントの推移の図示化の例として成長グラフを生成したが、これに限定されるものではなく、他の図示化（例えば、表）等により表示してもよい。
【００５８】
＜生徒１１の情報端末１０の画面例＞
ここで、生徒１１の情報端末１０の画面例について図を用いて説明する。図６は、情報端末において課題が表示された画面の一例を示す図である。図６に示す画面５００は、表示手段２１５により生成される。図７の例は、グループのリーダーとなった生徒の情報端末１０の画面例である。
【００５９】
図６に示す画面５００では、課題表示欄５０１と、各生徒にカテゴリを選択させる選択欄５０２と、各生徒に意見を入力させる意見入力欄５０３と、意見登録ボタン５０４とが表示される。
【００６０】
ディスカッション支援サーバ２００の意見収集手段２１３は、生徒の情報端末１０の画面５００において、選択欄５０２からカテゴリが選択され、意見入力欄５０３に意見が入力され、意見登録ボタン５０４が操作されると、それらの情報を取得する。図６の例では、「反対」の意見種別や意見データが取得される。意見収集手段２１３は、取得した意見等の情報を意見ＤＢ２２４に登録する。
【００６１】
なお、図６の例において、選択欄５０２には、課題に対する回答として「賛成」、「許容」、「反対」の何れかを入力させるボタンが表示されている。なお、許容とは、賛成でも反対でもない状態である。
【００６２】
登録された各生徒の意見は、同じグループに属する情報端末１０において共有されて表示され、グループ内でのディスカッションに用いられる。
【００６３】
また、図７は、情報端末において意見を共有する画面の一例を示す図である。図７に示す画面５１０は、表示手段２１５により生成される。図７の例は、グループのリーダーとなった生徒の情報端末１０の画面例である。
【００６４】
画面５１０には、同じグループに属する生徒の意見が表示される意見欄５１１と、代表意見をディスカッション支援サーバ２００に送信する送信ボタン５１２とが表示されている。なお、送信ボタン５１２は、リーダーの情報端末１０のみ表示される。また、グループのリーダーとなった生徒の情報端末１０には、自分がグループのリーダーであることが表示されていてもよい。
【００６５】
図７の例において、意見欄５１１では、Ａグループに属する生徒４人の意見のカテゴリと意見の内容とが表示される。本実施形態では、Ａグループ内でディスカッションが行われ、その内容によりグループの代表意見が選択され、リーダーの情報端末１０からその代表意見がディスカッション支援サーバ２００に送信される。図７の例では、ＳＴ００２の反対意見が代表意見として選択されている。
【００６６】
ディスカッション支援サーバ２００の意見収集手段２１３は、送信された情報を取得して意見ＤＢ２２４に登録すると共に、代表意見に採用された意見に代表フラグを立てる。
【００６７】
＜ディスカッション支援で用いられるデータの一例＞
次に、ディスカッション支援で用いられるデータの一例について図を用いて説明する。図８は、ディスカッション支援で用いられるデータの一例を示す図である。図８（Ａ）は、生徒ＤＢ２２１を示し、図８（Ｂ）は、グループＤＢ２２２を示し、図８（Ｃ）は、課題ＤＢ２２３を示している。
【００６８】
図８（Ａ）に示す生徒ＤＢ２２１の項目としては、例えば「生徒ＩＤ」、「名前」、「ＩＰアドレス」等があるが、これに限定されるものではない。生徒ＩＤは、生徒を識別するための識別情報である。名前は、生徒ＩＤに対応させた氏名が示されている。ＩＰアドレスは、ディスカッション支援サーバ２００と情報端末１０との間でデータの送受信を行うためのアドレス情報であり、情報端末１０を識別するための識別情報ということもできる。つまり、生徒ＤＢ２２１には、生徒と情報端末とが関連付けられて管理されている。なお、ディスカッション支援サーバ２００にもＩＰアドレスが設定されており、その情報は情報端末１０側で保持されているため、通信ネットワーク等を用いたデータの送受信が可能となる。
【００６９】
生徒ＤＢ２２１の内容については、これに限定されるものではなく、例えば生徒のクラス名や性別、生年月日等の情報が付与されていてもよい。生徒ＤＢ２２１によりディスカッションに参加する生徒が管理される。また、本実施形態は、生徒ＤＢ２２１と同様に先生ＤＢ等を設けてもよい。この場合、「生徒ＩＤ」の代わりに「先生ＩＤ」が設定され、先生と情報端末とが関連付けられて管理されることになる。
【００７０】
図８（Ｂ）に示すグループＤＢ２２２の項目としては、例えば「課題ＩＤ」、「グループＩＤ」、「生徒ＩＤ」、「リーダーフラグ」等があるが、これに限定されるものではない。
【００７１】
課題ＩＤは、図８（Ｃ）に示す課題ＤＢ２２３に記憶されている課題を識別するための情報である。ディスカッション支援システム１００では、例えば課題毎にグループメンバーを変えることができるため、図８（Ｂ）の例では課題毎に各グループの生徒ＩＤが登録されている。例えば、グループは課題毎に作り、Ａグループは５人おり、リーダーは「ＳＴ００１  田中太郎」である。リーダーは、先生が情報端末（先生端末）１０を用いて予め設定してもよく、ポイント結果や推移等に基づいてランダムに設定されてもよい。リーダーが設定されると、その生徒の「リーダーフラグ」に「１」がセットされる。リーダーは、グループの代表意見を特定し、その結果をディスカッション支援サーバ２００に送信する。
【００７２】
図８（Ｃ）に示す課題ＤＢ２２３の項目としては、例えば「課題ＩＤ」、「課題」、「実施年月日」等があるがこれに限定されるものではない。図８（Ｃ）の例では、課題を識別するための識別情報である課題ＩＤ毎に課題と実施年月日が登録されている。なお、実施年月日は、実施した日時を記憶してもよく、実施予定日時を記憶してもよい。
【００７３】
本実施形態では、上述したデータに基づいて、グループ化された各生徒に対して課題を送信し、その個人意見や代表意見の収集結果に基づいてポイントを算出する。
【００７４】
ここで、ポイント集計をする際には、グループディスカッション時の生徒の意見を取得し、更に生徒が属するグループの意見特性を判断する。グループの意見特性は、例えば「（１）その生徒と同意見のみのグループ」、「（２）その生徒と同意見・異なる意見が半々のグループ」、「（３）その生徒と異なる意見の方が多いグループ」等であるが、これに限定されるものではない。また、グループの代表意見が送信された時には、代表意見に選ばれた生徒に対するポイント（例えば、ディスカッション能力成長ポイント）等を算出する。
【００７５】
＜ポイント集計の実施例１＞
次に、ポイント集計の実施例１について説明する。実施例１では、例えば、ある生徒の意見がグループの代表に選ばれた場合に、当該グループ特性に応じてポイントを算出する。実施例１では、例えば、グループ特性が上述した（３）の場合にはポイントを「＋５」とし、上述した（２）の場合にはポイントを「＋３」とし、上述した（１）の場合には、ポイント「＋１」とすることができる。なお、生徒の意見が代表に選ばれなかった場合には、「±０」とする。
【００７６】
図９は、実施例１におけるポイント集計処理の一例を示すフローチャートである。また、図１０は、実施例１における各種データ例を示す図である。図１０（Ａ）は、実施例１における意見ＤＢ２２４の一例を示し、図１０（Ｂ）は、実施例１におけるポイント条件ＤＢ２２５の一例を示し、図１０（Ｃ）は、実施例１におけるポイントＤＢ２２６の一例を示している。
【００７７】
図９の例において、ポイント集計手段２１４は、代表意見の生徒を特定する（Ｓ２１）。Ｓ２１の処理では、例えば図１０（Ａ）に示す意見ＤＢ２２４の代表意見フラグに「１」が設定されている生徒を代表意見の生徒とするが、これに限定されるものではない。
【００７８】
次に、ポイント集計手段２１４は、意見ＤＢ２２４から代表意見の生徒の意見種別（例えば、賛成、許容、反対）を取得し（Ｓ２２）、更に同グループ内の他の生徒の意見種別を取得する（Ｓ２３）。
【００７９】
次に、ポイント集計手段２１４は、代表意見の生徒の意見種別と、同グループ内の他の生徒の意見種別との比較により、当該代表意見の生徒に加算するポイントを特定する（Ｓ２４）。なお、Ｓ２４の処理において、ポイント集計手段２１４は、例えばグループ内のそれぞれの生徒の意見種別から得られるグループ特性に基づいて図１０（Ｂ）に示すポイント条件ＤＢ２２５を参照することで、ポイントを特定することができる。なお、ポイントの特定手法については、これに限定されるものではない。
【００８０】
次に、ポイント集計手段２１４は、ポイントＤＢ２２６の当該代表意見の生徒のポイント合計に、当該ポイントを加算する（Ｓ２５）。
【００８１】
ここで、図１０（Ａ）に示す意見ＤＢ２２４の項目としては、例えば「課題ＩＤ」、「グループＩＤ」、「生徒ＩＤ」、「追番」、「意見種別」、「意見」、「代表意見フラグ」等であるが、これに限定されるものではない。課題ＩＤは、上述した図８（Ｃ）に示す課題ＤＢ２２３の課題ＩＤに対応する。グループＩＤは、上述した図８（Ｂ）に示すグループＤＢ２２２のグループＩＤに対応する。生徒ＩＤは上述した図８（Ａ）に示す生徒ＩＤ２２１の生徒ＩＤに対応する。追番は、例えばディスカッション等により意見が意見種別や意見の内容が変更される場合に、それぞれのデータを生徒毎に識別するための情報である。意見種別は、上述した図６に示す選択欄５０２に入力された意見種別が記憶される。意見は、図６に示す意見入力欄５０３に入力された情報が記憶される。代表意見フラグは、グループリーダーの情報端末１０から送信されたときに選択されている代表意見に対応する意見にフラグがセットされる。
【００８２】
図１０（Ｂ）に示すポイント条件ＤＢ２２５の項目としては、例えば「グループ特性ＩＤ」、「グループ特性」、「ポイント」等があるが、これに限定されるものではない。グループ特性ＩＤは、グループ特性を識別するための情報である。グループ特性とは、グループ特性ＩＤに対するグループ特性の内容である。ポイントとは、そのグループ特性に対応して設定されたポイントである。なお、ポイントについては、これに限定されるものではない。
【００８３】
図１０（Ｃ）に示すポイントＤＢ２２６の項目としては、例えば「月度」、「生徒ＩＤ」、「名前」、「ポイント合計」等であるが、これに限定されるものではない。例えば、図１０（Ｃ）では、月毎に各生徒のポイントを集計出力している例を示しているが、これに限定されるものではなく、日毎や週毎でもよい。
【００８４】
実施例１の場合、図１０（Ａ）に示すようにＡグループでは反対意見が多かった（半数以上）が、生徒ＩＤ「ＳＴ００１」の賛成の意見が代表意見となっている。つまり、生徒ＳＴ００１は、その生徒と異なる意見の方が多いグループで代表になったため、図１０（Ｂ）に示すポイント条件ＤＢ２２５を参照して＋５ポイントが、生徒ＩＤ「ＳＴ００１」に加算される。ここで、実施例１の実施が２０１２年８月だとすると、図１０（Ｃ）の例では、ポイントＤＢ２２６の２０１２年８月におけるＳＴ００１（田中太郎）の当該ポイント加算直前のポイント（６ポイントだったとする）に＋５ポイントが加算されて１１ポイントとなる。
【００８５】
なお、実施例１では、「月度」単位で「ポイント合計」を管理しているが、これに限定されるものではなく、例えば「日毎」、「週毎」、「授業毎」等の単位で管理してもよく、月毎の各生徒の平均ポイント等を算出して管理してもよい。更に、実施例１では、生徒毎のポイント伸び率や各ポイントのランキング等を管理してもよい。
【００８６】
＜ポイント集計の実施例２＞
ポイント集計の実施例２について説明する。例えば、グループの意見特性が上述した「（１）その生徒と同意見のみのグループ」の状態であっても、クラス全体でみれば少数意見の生徒が、たまたまそのグループに集中していた場合がある。この場合には、こだわりの生徒が集まっているので代表意見になるのが難しい。また、例えば、グループの意見特性が上述した「（３）その生徒と異なる意見の方が多いグループ」の状態であっても、その生徒の意見はクラス全体でみれば多数意見である場合がある。例えば、多数意見なので他の生徒の説得が易しい場合である。
【００８７】
実施例２では、上述したような場合に、クラス全体の意見特性を保持しておき、そのクラス全体の意見特性を考慮したポイントの増減の調整を行う。例えば、前者については「＋１→＋３」、後者については「＋５→＋３」への調整を行う。当該生徒の意見が代表に選ばれた場合には、上述した生徒のグループの特性に応じてポイントを算出する。
【００８８】
図１１は、実施例２におけるポイント集計処理の一例を示すフローチャートである。図１２は、各種意見特性ＤＢの一例を示す図である。図１２（Ａ）は、クラス意見特性ＤＢ２２７の一例を示し、図１２（Ｂ）は、代表意見特性ＤＢ２２８の一例を示している。図１３は、実施例２におけるポイント条件ＤＢ２２６の一例を示す図である。なお、図１３（Ａ）、図１３（Ｂ）は、それぞれ異なるポイント条件を示している。
【００８９】
図１１の例において、ポイント集計手段２１４は、上述した実施例１と同様に代表意見の生徒（例えば、図１０（Ａ）に示す意見ＤＢ２２４の代表意見フラグが「１」の生徒）を特定する（Ｓ３１）。また、ポイント集計手段２１４は、代表意見の生徒の意見種別を取得し（Ｓ３２）、同グループ内の他の生徒の意見種別を取得する（Ｓ３３）。
【００９０】
次に、ポイント集計手段２１４は、図１２（Ａ）に示すクラス意見特性ＤＢ２２７又は図１２（Ｂ）に示す代表意見特性ＤＢ２２８の各意見種別の割合を参照する（Ｓ３４）。また、ポイント集計手段２１４は、代表意見の生徒の意見種別、同グループ内の他の生徒の意見種別、及び、クラス意見特性ＤＢ２２７又は代表意見特性ＤＢ２２８の意見種別の割合を考慮し、代表意見の生徒に加算するポイントを特定する（Ｓ３５）。次に、ポイント集計手段２１４は、上述した図１０（Ｃ）に示すポイントＤＢ２２６の当該代表意見の生徒のポイント合計に、当該ポイントを加算する（Ｓ３６）。
【００９１】
なお、図１１の例では、クラス意見特性ＤＢ２２７又は代表意見特性ＤＢ２２８の何れかの意見種別の割合を取得したが、これに限定されるものではなく、例えばクラス意見特性ＤＢ２２７及び代表意見特性ＤＢ２２８の各意見種別の割合を両方取得し、取得した割合に対応させてポイントを算出してもよい。
【００９２】
図１２（Ａ）に示すクラス意見特性ＤＢ２２７及び図１２（Ｂ）に示す代表意見特性ＤＢ２２８の項目としては、例えば「課題ＩＤ」、「グループＩＤ」、「意見種別（賛成、許容、反対）」等があるが、これに限定されるものではない。また、それぞれのＤＢには、意見種別の合計と割合が記憶されている。この割合や割合が最大の種別が、そのグループにおける意見特性となる。
【００９３】
ここで、図１２（Ａ）の例では、意見種別が、各グループ内の生徒の人数がカウントされている。例えば、図１２（Ａ）に示すＡグループは、たまたまクラス全体では多数派である「賛成」の意見種別が少ないことが分かる。
【００９４】
一方、図１２（Ｂ）の例では、代表意見であるため、各グループに何れか一つの意見種別が設定されている。したがって、図１２（Ａ）、図１２（Ｂ）に示すように、クラス意見特性ＤＢ２２７と代表意見特性ＤＢ２２８とにおける意見種別の特性や合計値（割合）も異なる場合がある。
【００９５】
図１３（Ａ）に示すポイントＤＢ２２６は、クラス意見特性ＤＢ２２７の結果を考慮したポイントＤＢである。図１３（Ａ）の例では、グループ特性ＩＤがＧＴ０２、ＧＴ０５において、ポイント調整が行われている。
【００９６】
具体的には、グループ特性ＩＤがＧＴ０２の場合は、ＧＴ０１の条件に該当するがクラス意見特性（又は代表意見特性）によれば、その代表の生徒の意見と同意見の生徒は多数派であったため、あまり頑張らなくても自分の意見が代表意見になったと考えられる。したがって、グループ特性ＩＤがＧＴ０２の条件に該当する場合には、ＧＴ０１より少なめ（例えば、＋５→＋３）に調整される。
【００９７】
また、グループ特性ＩＤがＧＴ０５の場合は、ＧＴ０４の条件に該当するがクラス意見特性（又は代表意見特性）によれば、その代表の生徒の意見と同意見の生徒は少数派であったため、その生徒はかなり頑張って自分の意見を代表意見にしたものと考えられる。したがって、グループ特性ＩＤがＧＴ０５の条件に該当する場合には、ＧＴ０４より多め（例えば、＋１→＋３）に調整される。なお、グループ特性の種類やポイント数については、これに限定されるものではない。
【００９８】
図１３（Ｂ）に示すポイントＤＢ２２６は、代表意見特性ＤＢ２２８の結果を考慮したポイントＤＢである。図１３（Ｂ）の例では、グループ特定ＩＤがＧＴ０２，ＧＴ０３，ＧＴ０６，ＧＴ０７において、ポイント調整が行われている。
【００９９】
具体的には、グループ特性ＩＤがＧＴ０２の場合は、ＧＴ０１の条件に該当するがクラス意見特性及び代表意見特性によれば、何れについても、その代表の生徒の意見と同意見の生徒は多数派であるため、殆ど頑張らずに自分の意見が代表意見になったと考えられる。したがって、グループ特性ＩＤがＧＴ０２の条件に該当する場合には、ＧＴ０１よりだいぶ少なめ（例えば、＋５→＋１）に調整される。
【０１００】
また、グループ特性ＩＤがＧＴ０３の場合は、ＧＴ０１の条件に該当するが、クラス意見特性及び代表意見特性によれば、何れか一方について、その代表の生徒の意見と同意見の生徒は多数派であるため、あまり頑張らなくても自分の意見が代表意見になったと考えられる。したがって、グループ特性ＩＤがＧＴ０３の条件に該当する場合には、ＧＴ０１よりやや少なめ（例えば、＋５→＋３）に調整される。
【０１０１】
また、グループ特性ＩＤがＧＴ０６の場合は、ＧＴ０５の条件に該当するが、クラス意見特性及び代表意見特性によれば、何れについても、その代表の生徒の意見と同意見の生徒は少数派であるため、かなり頑張って自分の意見を代表意見にしたものと考えられる。したがって、グループ特性ＩＤがＧＴ０６の条件に該当する場合には、ＧＴ０５よりだいぶ多め（例えば、＋１→＋５）に調整される。
【０１０２】
また、グループ特性ＩＤがＧＴ０７の場合は、ＧＴ０５の条件に該当するが、クラス意見特性及び代表意見特性によれば、何れか一方について、その代表の意見と同意見の生徒は少数派であるため、少し頑張って自分の意見を代表意見にしたものと考えられる。したがって、グループ特性ＩＤがＧＴ０７の条件に該当する場合には、ＧＴ０５よりやや多め（例えば、＋１→＋３）に調整される。
【０１０３】
実施例２では、上述したポイントの調整を行うことにより、生徒毎のディスカッション能力の評価をより適切に行うことができる。
【０１０４】
＜ポイント集計の実施例３＞
ポイント集計の実施例３について説明する。実施例３では、生徒毎の能力ポイントの「ポイント伸び率」を保持しておき、当該生徒の意見が代表に選ばれた場合に、グループ内に自分より「ポイント伸び率」の高い生徒が過半数いた場合には、更にボーナスポイント（例えば、＋２等）を加算する。
【０１０５】
図１４は、実施例３におけるポイント集計処理の一例を示すフローチャートである。図１５は、実施例３における各種データ例を示す図である。図１５（Ａ）は、実施例３におけるポイント条件ＤＢ２２５の一例を示し、図１５（Ｂ）は、実施例３におけるポイントＤＢ２２６の一例を示している。
【０１０６】
図１４の例において、ポイント集計手段２１４は、上述した実施例１と同様に代表意見の生徒（例えば、上述した図１０（Ａ）に示す意見ＤＢ２２４における代表意見フラグが「１」の生徒）を特定する（Ｓ４１）。次に、ポイント集計手段２１４は、代表意見の生徒の意見種別を取得し（Ｓ４２）、同グループ内の他の生徒の意見種別を取得する（Ｓ４３）。
【０１０７】
次に、ポイント集計手段２１４は、代表意見の生徒の意見種別と、同グループ内の他の生徒の意見種別との比較により、代表意見の生徒に加算するポイントを特定する（Ｓ４４）。次に、ポイント集計手段２１４は、同グループの他の生徒の前月のポイント伸び傾向を取得する（Ｓ４５）。
【０１０８】
次に、ポイント集計手段２１４は、例えば図１５（Ａ）に示すポイントＤＢ２２６の「グループ特性ＩＤ」＝"ＳＰ"の場合に該当するか否かを判断する（Ｓ４６）。なお、実施例３では、グループ内の他の生徒の伸び傾向に基づいて、ボーナスポイントを付与するグループ特性ＩＤを"ＳＰ"としているため、"ＳＰ"の場合に該当するか否かを判断しているが、これに限定されるものではない。例えば、他の条件等を用いて複数のボーナスポイントが設定されている場合には、その何れかのグループ特性に該当しているか否かを判断する。
【０１０９】
ポイント集計手段２１４は、グループ特性ＩＤが"ＳＰ"の場合の条件に該当する場合（Ｓ４６において、ＹＥＳ）、Ｓ４４の処理で特定したポイントにボーナスポイントを加算する（Ｓ４７）。また、ポイント集計手段２１４は、Ｓ４６の処理において、グループ特性ＩＤが"ＳＰ"の場合に該当しない場合（Ｓ４６において、ＮＯ）、又は、Ｓ４７の処理後、当該代表意見の生徒のポイント合計に、当該ポイントを加算する（Ｓ４８）。
【０１１０】
図１５（Ａ）の例では、グループ特性ＩＤとして"ＳＰ"が設定されており、その条件としてＧＴ０１〜ＧＴ０３において、グループ内の他の生徒の過半数が、ポイント伸び傾向が「上向きの矢印（＝上昇）」だった場合が設定されている。その場合、ポイントが伸びている生徒が多いなかで自分の意見を代表意見としているため、かなり頑張ってディスカッションしたものと考えられる。したがって、"ＳＰ"の条件に該当する場合には、ボーナスポイントとして＋２を加算する。
【０１１１】
図１５（Ｂ）に示すポイントＤＢ２２６の項目としては、例えば「月度」、「生徒ＩＤ」、「名前」、「ポイント合計」、「ポイント伸び」、「ポイント伸び傾向」等であるが、これに限定されるものではない。図１５（Ｂ）に示すポイントＤＢ２２６は、上述した図１０（Ｃ）におけるポイントＤＢ２２６と比較すると、「ポイント伸び」、「ポイント伸び傾向」の項目が追加されている。ポイント伸びとは、先月と比較したポイントの伸び（差分値）を示し、ポイント伸び傾向とは、ポイント伸びに対応する傾向を示したものである。なお、図１５（Ｂ）の例では、ポイント伸び傾向を矢印の傾きで示しているが、これに限定されるものではない。
【０１１２】
実施例３では、２０１２年９月において、生徒ＩＤ「ＳＴ００１（田中太郎）」は、その生徒と異なる意見の方が多いグループで代表になったため+５ポイントを取得する。更に、グループ内の他の生徒の過半数が、ポイント伸び傾向が「上向き」だったため、＋２ポイントが加算され、図１５（Ｂ）に示すように合計７ポイントが記憶される（当該ポイント加算直前が０ポイントだったとする）。
【０１１３】
なお、図１５（Ｂ）に示すポイントの伸び傾向は、例えば、月毎に「ポイント合計」を集計し、月が変わった時点で、先々月と先月の「ポイント合計」に基づいて「ポイント伸び」と「ポイント伸び傾向」をセットするが、これに限定されるものではない。
【０１１４】
実施例３では、上述したようにディスカッションの状況やグループ内の意見特性に応じてポイント条件を調整することで、個人毎に適切なディカッションの能力評価を行うことができる。なお、上述したポイント集計の実施例１〜３は、必要に応じて複数を組み合わせて実施してもよい。
【０１１５】
＜表示手段２１５により生成される集計結果例＞
次に、表示手段２１５により生成される集計結果例について図を用いて説明する。図１６は、表示手段により生成される成長グラフの一例を示す図である。なお、図１６の例は、上述した図５に示す各生徒のポイント表示処理により生成されるグラフである。
【０１１６】
表示手段２１５は、例えば上述したポイントＤＢ２２６に記憶された生徒毎のポイント履歴に基づいて、その変化を成長推移としてグラフ化した画面を生成している。
【０１１７】
図１６の例では、ＳＴ００１とＳＴ００２の獲得ポイント推移が表示されている。表示手段２１５は、この推移を先生等が使用する情報端末１０の画面に表示させる。先生は、自分の情報端末１０で図１６に示す画面を参照し、ＳＴ００１の生徒は頑張っており、ＳＴ００２の生徒は、調子が悪くなってきたと容易に評価することができる。これにより、ＳＴ００１の生徒をリーダーにしたり、ＳＴ００２の生徒をリーダーにするのを回避したり調整することがきる。図１６のグラフは、表示装置３００に表示させてもよい。
【０１１８】
表示手段２１５により生成される集計結果例は、これに限定されるものではなく、例えば表等を図示することで表示させてもよく、生徒の授業科目毎や曜日毎等に表示するようにしてもよい。これにより、個人の個性や苦手分野、集中できる時間帯等に基づく能力評価を行うことができる。また、ポイントの評価をいろいろな方面から見ることができる。
【０１１９】
上述したように本実施形態によれば、個人のディスカッション能力を適切に評価することができる。例えば、生徒が、グループのどんな意見特性から代表意見が選択されたのか等に基づいてディスカッション能力等を評価しポイント化することにより、先生等により生徒のディスカッション能力の成長推移を適切に把握し、評価することができる。したがって、グループ内でのディスカッションを行うときの他の参加者の特性、グループ毎の特性、クラス毎の特性等の環境に基づいてポイント化することで、通常見えなかったディスカッション能力を把握することができる。
【０１２０】
なお、上述した実施形態では、学校内における生徒同士のディスカッション時のディスカッション支援を例に説明したが、これに限定されるものではなく、ディスカッションを行うコミュニティの場（例えば、サークルの集まりや、イベント、セミナー）や、会社での会議等において、広く適用することができる。なお、会社での会議等のような場合に適用する場合には、クラスを部署とし、先生を上司とし、生徒を部下とすることができるが、これに限定されるものではない。
【０１２１】
以上、各実施例について詳述したが、特定の実施例に限定されるものではなく、特許請求の範囲に記載された範囲内において、上記変形例以外にも種々の変形及び変更が可能である。
【０１２２】
なお、以上の実施例に関し、更に以下の付記を開示する。
（付記１）
各情報端末から得られる意見データと、予め設定された複数の情報端末を含むグループ毎に集められた前記意見データに対応するグループ特性とを収集し、
前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出する、処理をコンピュータに実行させるためのディスカッション支援プログラム。
（付記２）
前記ポイントの算出は、代表意見となった参加者の意見種別と、グループ内における他の参加者の意見種別との関係に応じて加算するポイント数を変更することを特徴とする付記１に記載のディスカッション支援プログラム。
（付記３）
算出された前記ポイントに対して、前記グループ毎の意見特性又は全グループの意見特性に基づいて、前記ポイントを調整することを特徴とする付記１又は２に記載のディスカッション支援プログラム。
（付記４）
算出された前記ポイントに対して、前記グループ内における他の参加者のポイントの伸び率を取得し、取得した前記伸び率に基づいて、更にポイントを加算することを特徴とする付記１乃至３の何れか１項に記載のディスカッション支援プログラム。
（付記５）
前記算出された参加者毎のポイントの推移を図示化して、所定の情報端末の画面に表示することを特徴とする付記１乃至４の何れか１項に記載のディスカッション支援プログラム。
（付記６）
前記参加者毎のポイントの推移に基づいて、前記グループ内でグループ代表意見データを送信する参加者を決定することを特徴とする付記１乃至５の何れか１項に記載のディスカッション支援プログラム。
（付記７）
情報処理装置が、
各情報端末から得られる意見データと、予め設定された複数の情報端末を含むグループ毎に集められた前記意見データに対応するグループ特性とを収集し、
前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出することを特徴とするディスカッション支援方法。
（付記８）
各情報端末から得られる意見データと、予め設定された複数の情報端末を含むグループ毎に集められた前記意見データに対応するグループ特性とを収集する意見収集手段と、
前記グループ毎に集められた前記意見データの中から選択された代表意見データと、前記代表意見データを送信した情報端末が属するグループに対応する前記グループ特性とに基づいて、前記情報端末に関連付けられた参加者に対するポイントを算出するポイント算出手段とを有することを特徴とする情報処理装置。
【符号の説明】
【０１２３】
１０  情報端末
１１  参加者（生徒）
１００  ディスカッション支援システム
２００  ディスカッション支援サーバ
２１０  ディスカッション支援手段
２１１  グループ化手段
２１２  ログイン手段
２１３  意見収集手段
２１４  ポイント集計手段
２１５  表示手段
２２０  記憶手段
２２１  生徒ＤＢ
２２２  グループＤＢ
２２３  課題ＤＢ
２２４  意見ＤＢ
２２５  ポイント条件ＤＢ
２２６  ポイントＤＢ
２２７  クラス意見特性ＤＢ
２２８  代表意見特性ＤＢ
３００  表示装置
４０１  入力装置
４０２  出力装置
４０３  ドライブ装置
４０４  補助記憶装置
４０５  主記憶装置
４０６  Ｃｅｎｔｒａｌ  Ｐｒｏｃｅｓｓｉｎｇ  Ｕｎｉｔ（ＣＰＵ）
４０７  ネットワーク接続装置
４０８  記録媒体
５００，５１０  画面
５０１  課題表示欄
５０２  選択欄
５０３  意見入力欄
５０４  意見登録ボタン
５１１  意見欄
５１２  送信ボタン
【図１】
2014191639.tif 000003
【図２】
2014191639.tif 000004
【図３】
2014191639.tif 000005
【図４】
2014191639.tif 000006
【図５】
2014191639.tif 000007
【図６】
2014191639.tif 000008
【図７】
2014191639.tif 000009
【図８】
2014191639.tif 000010
【図９】
2014191639.tif 000011
【図１０】
2014191639.tif 000012
【図１１】
2014191639.tif 000013
【図１２】
2014191639.tif 000014
【図１３】
2014191639.tif 000015
【図１４】
2014191639.tif 000016
【図１５】
2014191639.tif 000017
【図１６】
2014191639.tif 000018